(57)【要約】【課題】使い勝手を落とすことなくセキュリティ向上を実現できる画像処理装置を提供する。【解決手段】ＩＣカードリーダによりログイン管理可能な画像処理装置のＣＰＵ１８０は、以下の機能を有する。即ち、ＣＰＵ１８０は、操作部２００のログアウト画面表示状態から、ＩＣカードが検出されたか否かを判断し、ＩＣカードが検出された場合に、ログインに対してユーザ認証が行われたか否かを判断する。そして、ＣＰＵ１８０は、ユーザ認証が行われた場合に、実行中のジョブの有無を判断し、実行中のジョブがある場合に、操作部２００にログイン実行中画面を表示する。また、ＣＰＵ１８０は、実行中のジョブがない場合に、操作部２００にログイン初期画面を表示する。【選択図】図７
2010252033.tif 000002
【特許請求の範囲】
【請求項１】
ユーザを認証するユーザ認証手段と、
操作画面を表示し、ユーザからの操作入力を受け付ける操作部と、
前記ユーザ認証手段により認証されたユーザの指示に従ってジョブを実行するジョブ実行手段と、
前記ユーザ認証手段が第１のユーザを認証した場合に、前記ジョブ実行手段がジョブを実行中であり、かつ、当該ジョブは前記第１のユーザが実行を指示したジョブである場合には、前記操作部に前記実行中のジョブに対する指示を入力するための操作画面を表示するよう制御し、前記ユーザ認証手段が第１のユーザを認証した場合に、前記ジョブ実行手段がジョブを実行中ではない、あるいは前記第１のユーザと異なるのユーザが実行を指示したジョブを前記ジョブ実行手段が実行している場合には前記操作部に新たなジョブの実行に関する操作画面を表示するよう制御する表示制御手段と、
を備えることを特徴とする画像処理装置。
【請求項２】
前記ジョブ実行手段が実行中のジョブに対する指示を受け付けるための操作画面を表示させるためにユーザ認証が必要か否かを設定する第１の設定手段を更に備え、
前記第１の設定手段にユーザ認証が必要であると設定されている場合において、前記ジョブ実行手段がジョブを実行中に前記操作部が前記実行中のジョブに対する指示のための操作入力がなされた場合、前記ユーザ認証手段が前記実行中のジョブに対する指示のための操作入力を行うユーザを認証したことを条件に前記実行中のジョブに対する指示を受け付けることを特徴とする請求項１に記載の画像処理装置。
【請求項３】
前記ユーザ認証手段により認証されたユーザがジョブの実行の開始を指示したのち前記ユーザを自動的にログアウトするか否かを設定する第２の設定手段を更に備え、
前記第２の設定手段が認証されたユーザがジョブの実行の開始を指示したのち前記ユーザを自動的にログアウトするよう設定されている場合において、前記操作部がジョブの実行開始の指示を受け付けたら、前記ユーザ認証手段は前記ユーザをログアウトし、前記表示制御手段は前記操作部にユーザ認証のための操作画面を表示するよう制御することを特徴とする、請求項１に記載の画像処理装置。
【請求項４】
前記第２の設定手段は更に、前記ユーザ認証手段により認証されたユーザがジョブの実行の開始を指示したのちに前記操作部に個人情報が表示される場合には前記ジョブの実行の開始を指示した後に自動的にログアウトすることを設定することが可能であることを特徴とする、請求項３に記載の画像処理装置。
【請求項５】
画像処理装置の制御方法であって、
ユーザを認証するユーザ認証工程と、
操作部に操作画面を表示し、ユーザからの操作入力を受け付ける操作入力工程と、
前記ユーザ認証工程にて認証されたユーザの指示に従ってジョブを実行するジョブ実行工程と、
前記ユーザ認証工程で第１のユーザを認証した場合に、前記ジョブ実行工程によるジョブが実行中であり、かつ、当該ジョブは前記第１のユーザが実行を指示したジョブである場合には、前記操作部に前記実行中のジョブに対する指示を入力するための操作画面を表示するよう制御し、前記ユーザ認証工程で第１のユーザを認証した場合に、前記ジョブ実行工程によるジョブが実行中ではない、あるいは前記ジョブ実行工程によって前記第１のユーザと異なるのユーザが実行を指示したジョブが実行中である場合には前記操作部に新たなジョブの実行に関する操作画面を表示するよう制御する表示制御工程と、
を備えることを特徴とする画像処理装置の制御方法。
【請求項６】
画像処理装置の制御方法をコンピュータに実行させるためのプログラムであって、
ユーザを認証するユーザ認証ステップと、
操作部に操作画面を表示し、ユーザからの操作入力を受け付ける操作入力ステップと、
前記ユーザ認証ステップにて認証されたユーザの指示に従ってジョブを実行するジョブ実行ステップと、
前記ユーザ認証ステップで第１のユーザを認証した場合に、前記ジョブ実行ステップによるジョブが実行中であり、かつ、当該ジョブは前記第１のユーザが実行を指示したジョブである場合には、前記操作部に前記実行中のジョブに対する指示を入力するための操作画面を表示するよう制御し、前記ユーザ認証ステップで第１のユーザを認証した場合に、前記ジョブ実行ステップによるがジョブが実行中ではない、あるいは前記ジョブ実行ステップによって前記第１のユーザと異なるのユーザが実行を指示したジョブが実行中である場合には前記操作部に新たなジョブの実行に関する操作画面を表示するよう制御する表示制御ステップと、
を備えることを特徴とするプログラム。
【発明の詳細な説明】
【技術分野】
【０００１】
本発明は、ユーザ認証によって装置の利用を可能にする画像処理装置及びその制御方法、並びにプログラムに関する。
【背景技術】
【０００２】
ユーザ認証によって装置の利用を可能にする画像処理装置において、使用時にユーザにユーザ認証のためのログイン操作を行わせ、ログインしたユーザに使用を許可する画像処理装置では、複数のユーザが同時にログインした場合は、これらユーザが交互に各自のジョブを実行する。
【０００３】
そして、各ユーザは、作業終了後に、ログアウトのためのボタンを押下する等の操作を行ってログアウトする。或いは所定時間経過しても操作のないユーザに対し、強制的にログアウト処理を行っている。
【０００４】
ユーザはログアウト処理を忘れることがある。特にジョブの実行完了までの待ち時間が長い場合には、ユーザはジョブの実行を指示した後に画像処理装置から離れてしまうことがある。これによりジョブ実行後もログイン状態のままで放置され、他のユーザに無断で使用される恐れがある。また、所定時間後に強制的にログアウト処理を行うこととすると、ユーザが使用中にログアウトされることがあり、強制的ログアウトのための時間設定が難しい。
【０００５】
このような問題を解決する手段として、ユーザのログアウトの予約を受付けるための受付手段と、ログアウト予約を受付けると、ユーザのジョブ終了後にログアウトするためのログアウト手段とを設けたものがある。
【先行技術文献】
【特許文献】
【０００６】
【特許文献１】特開２００７−２２８２０９号公報
【発明の概要】
【発明が解決しようとする課題】
【０００７】
しかしながら、上記従来技術においては、ジョブ開始からジョブ終了の間に他のユーザによる当該ジョブに対する操作や新たなジョブの実行を指示されてしまうことを防止できない。また、上記従来技術においてジョブ終了前に強制的にログアウトしてしまうとジョブ投入者は投入したジョブに対して設定変更や中断をするための指示を入力することができなくなり使い勝手が悪くなる。
【０００８】
本発明の目的は、使い勝手を落とすことなくセキュリティ向上を実現できる画像処理装置を提供することにある。
【課題を解決するための手段】
【０００９】
上記目的を達成するために、本発明の画像処理装置は、ユーザを認証するユーザ認証手段と、操作画面を表示し、ユーザからの操作入力を受け付ける操作部と、前記ユーザ認証手段により認証されたユーザの指示に従ってジョブを実行するジョブ実行手段と、前記ユーザ認証手段が第１のユーザを認証した場合に、前記ジョブ実行手段がジョブを実行中であり、かつ、当該ジョブは前記第１のユーザが実行を指示したジョブである場合には、前記操作部に前記実行中のジョブに対する指示を入力するための操作画面を表示するよう制御し、前記ユーザ認証手段が第１のユーザを認証した場合に、前記ジョブ実行手段がジョブを実行中ではない、あるいは前記第１のユーザと異なるのユーザが実行を指示したジョブを前記ジョブ実行手段が実行している場合には前記操作部に新たなジョブの実行に関する操作画面を表示するよう制御する表示制御手段と、を備えることを特徴とする。
【発明の効果】
【００１０】
本発明の画像処理装置によれば、使い勝手を落とすことなくセキュリティ向上を実現できる。
【図面の簡単な説明】
【００１１】
【図１】本発明の実施の形態に係るコピー、ＦＡＸ、プリント、スキャナ機能を有する画像処理装置の概略的な構成を示すブロック図である。
【図２】図１における操作部２００の構成図である。
【図３】図２の操作部２００におけるログアウト画面を示す図である。
【図４】図２の操作部２００におけるログイン初期画面を示す図である。
【図５】図２の操作部２００におけるログイン実行中画面を示す図である。
【図６】図２の操作部２００におけるＩＣカード認証に関する設定画面を示す図である。
【図７】図１の画像処理装置におけるログイン管理制御に関わるソフトウェアの構成の一例を示す図である。
【図８】図１、図７の画像処理装置によって実行される画面表示移行処理の手順その１を示すフローチャートである。
【図９】図１、図７の画像処理装置によって実行される画面表示移行処理の手順その２を示すフローチャートである。
【図１０】図１、図７の画像処理装置によって実行される画面表示移行処理の手順その３を示すフローチャートである。
【発明を実施するための形態】
【００１２】
以下、本発明を図面を参照しながら詳細に説明する。
【００１３】
図１は、本発明の実施の形態に係るコピー、ＦＡＸ、プリント、スキャナ機能を有する、ＩＣカードリーダによりログイン管理可能な画像処理装置の概略的な構成を示すブロック図である。
【００１４】
以下、その構成を動作と併せて説明する。
【００１５】
スキャナインタフェース（スキャナＩ／Ｆ）部１０には、アナログフロントエンド（ＡＦＥ）１５を介して、ＣＣＤ１７、ＣＩＳ１８が接続し、個別の専用回路を介在することなく、その読み取りデータを画像処理装置に取り込むことができる。
【００１６】
スキャナ画像処理部２０は、スキャナＩ／Ｆ部１０の処理によりメインメモリ１００に展開された画像データに対して、画像処理動作モード（カラーコピー、モノクロコピー、カラースキャン、モノクロスキャン等）に応じた画像処理を実行する。
【００１７】
バッファ調停部７７はスキャナＩ／Ｆ部１０とスキャナ画像処理部２０間のデータの受け渡しをメインメモリ（ＳＤＲＡＭ）１００上のリングバッファ領域を介して行う場合、データの書き込みと、読み出しを調停する。
【００１８】
プリンタ画像処理部３０は、入力する画像の領域編集や、解像度変換を行い、得られた画像データをプリンタ出力するための処理ユニットである。プリンタＩ／Ｆ部４０は、接続するレーザビームプリンタ（ＬＢＰ）４５に画像処理結果を出力する。
【００１９】
バッファ調停部７８は、プリンタ画像処理部３０とプリンタＩ／Ｆ部４０間のデータの受け渡しをメインメモリ１００上のリングバッファ領域を介して行う場合、データの書き込みと、読み出しを調停する。
【００２０】
ＪＰＥＧモジュール５０、ＪＢＩＧモジュール６０では、所定の規格に準拠した画像データの圧縮、伸張処理を実行する処理部である。
【００２１】
メモリ制御部７０は、画像処理系の第１バス８３、第２バス８４及びコンピュータ系の第３バス８５とそれぞれ接続し、メインメモリ１００に対するデータの書き込み、読み出しのためのデータ転送制御を行う。
【００２２】
ＤＭＡコントローラ（ＤＭＡＣ）９０は、メモリ制御部７０と協働して、ＲＯＭＩＳＡ９７を介してＲＯＭ９５と接続する。そして、ＤＭＡＣ９０は、外部デバイスやユーザインタフェース制御部１７０とメインメモリ１００との間のデータ授受に関し、ＤＭＡ制御するための所定のアドレス情報を生成、設定する。
【００２３】
画像処理ＤＭＡＣ９１は、メモリ制御部７０と協働して、各画像処理部（１０、２０、３０、４０）とメインメモリ１００との間のデータ授受に関し、ＤＭＡ制御するための所定のアドレス情報を生成、設定する。
【００２４】
例えば、画像処理ＤＭＡＣ９１は、画像読み取りデバイスの種類、ＣＣＤ１７、ＣＩＳ１８の別に応じて、スキャナＩ／Ｆ部１０で読み取り処理された画像データをメインメモリ１００にＤＭＡ転送するためのアドレス情報をＤＭＡのチャンネルごとに生成する。
【００２５】
また、画像処理ＤＭＡＣ９１は、メインメモリ１００上に展開された画像データを読み出すためのアドレス情報をＤＭＡのチャンネルに応じて生成し、スキャナ画像処理部２０にＤＭＡ転送する。
【００２６】
このように、画像処理ＤＭＡＣ９１、メインメモリ１００と、画像処理部（１０、２０、３０、４０）とメインメモリ１００間におけるＤＭＡ制御を、メモリ制御部７０と共に司るユニットとして機能する。
【００２７】
ＲＯＭ９５には、画像読み取りデバイス（ＣＣＤ１７やＣＩＳ１８）に応じて、適した制御パラメータ、制御プログラムデータが格納されており、制御パラメータ等を画像読み取りデバイスに応じて種々設定することができる。従って、ＣＣＤ１７、ＣＩＳ１８の個別のデータ出力形式に応じた画像データの入力処理が可能となるため、専用のインタフェース回路を設ける必要がなくなる。
【００２８】
第１バス８３は、メインメモリ１００から読み出したデータを画像処理系の各処理部（１０〜６０）に送出することが可能である。第２バス８４は、画像処理系の各処理部（１０〜６０）から読み出したデータをメインメモリ１００に送出することが可能である。第１、２バスは、対になって画像処理ブロックとメインメモリ１００間の画像データの授受を行う。
【００２９】
第３バス８５は、ＣＰＵ１８０、通信及びユーザインタフェース制御部１７０、メカトロ系制御部１２５、画像処理部内部の制御レジスタ、及びＤＭＡＣ９０が接続するコンピュータ系のバスである。
【００３０】
メカトロ系制御部１２５には、モータ制御部１１０と、モータの駆動タイミングや、画像処理系の処理の同調を制御するためのタイミング制御を司る割り込みタイマ制御部１２０が含まれる。
【００３１】
ＬＣＤ制御部（ＬＣＤＣ）１３０は、画像処理装置の種々の設定、処理状況等を操作部２００に表示するための表示制御を司るユニットである。また、ＬＣＤＣ２００は、操作部２００から本システム使用者が入力した情報を、ＣＰＵ１８０に伝える役割をする。
【００３２】
ＵＳＢＩ／Ｆ部１４０、１５０は、周辺機器との接続を可能にする。図１では、ＩＣカードリーダ１７５が接続した状態を示している。
【００３３】
メディアアクセス制御部（ＭＡＣＣ）１６０は、接続する機器に対してデータをどのようなタイミングで送り出せばよいか、どのようなタイミングでアクセスすればよいか等を制御するユニットである。ＣＰＵ１８０は、画像処理装置の全体的な動作を制御する。
【００３４】
図２は、図１における操作部２００の構成図である。
【００３５】
ＬＣＤ表示部２０１は、ＬＣＤ上にタッチパネルシート２０２が貼られており、システムの操作画面及びソフトキーを表示するとともに、表示してあるキーが押されるとその位置情報をＣＰＵ１８０に伝える。
【００３６】
スタートキー２０３は、原稿画像の読み取り動作を開始するとき等に用いる。スタートキー２０３の中央部には、緑と赤の２色ＬＥＤ２０４があり、その色によってスタートキー２０３が使える状態にあるかどうかを示す。
【００３７】
ストップキー２０５は、稼働中の動作を止める働きをする。ＩＤキー２０６は、使用者のユーザＩＤを入力するときに用いる。リセットキー２０７は、操作部２００からの設定を初期化するときに用いる。
【００３８】
音量調整ダイヤル２０８は、鳴っている音を大きく／小さくするときに用いる。テンキー２０９は、数字を入力するときに用いる。
【００３９】
図３は、図２の操作部２００におけるログアウト画面を示す図である。
【００４０】
ログアウト画面３００は、画像処理装置へのユーザによるログインがなされていない状態（ログアウト状態）において操作部２００のＬＣＤ表示部２０１に表示される画面である。ログアウト画面３００は、ログイン、ログアウトする方法を示している。
【００４１】
図４は、図２の操作部２００におけるログイン初期画面を示す図である。ログイン初期画面はユーザが画像処理装置へログインした後に操作部２００のＬＣＤ表示部２０１に表示される画面である。
【００４２】
ログイン初期画面４００は、ジョブの設定を表示し、この画面が表示されている状態で、利用者は画像処理装置に対してジョブ投入及び設定変更をすることが可能である。
【００４３】
図５は、図２の操作部２００におけるログイン実行中画面を示す図である。
【００４４】
ログイン実行中画面５００は、ログイン初期画面においてジョブの設定がなされ、ジョブの実行の指示がなされた後に表示される画面で、ＣＰＵ１８０が、操作部２００のＬＣＤ表示部２０１に表示する。ログイン実行中画面５００は、ログイン初期画面４００上に、実行中ポップアップ画面５０１を表示する。
【００４５】
実行中ポップアップ画面５０１では、直前に実行しているジョブの状況、実行しているジョブを中止するための中止ボタン５０２、設定変更を行うための設定変更ボタン５０３、実行中ポップアップ画面５０１を閉じるための閉じるボタン５０４を表示する。それぞれのボタンにタッチすることにより動作可能である。
【００４６】
図６は、図２の操作部２００におけるＩＣカード認証に関する設定画面を示す図である。
【００４７】
設定画面６００において、設定６０１は、実行中ジョブに対する操作に認証が必要であるかの設定である。設定項目６０１では、ログインユーザの全てのジョブに対して、実行中のジョブに対する操作に対してユーザ認証による許可を必要とする場合は「はい」を、必要としない場合は「いいえ」を設定可能である。「はい」を設定した場合、ジョブの実行を指示したユーザと同じユーザが認証されたことがその実行中のジョブに対する操作を可能にする条件となる。「はい」を設定することによって、ジョブの実行を指示したユーザ以外のユーザが実行中のジョブに対する操作をすることができなくなり、実行中のジョブに対するセキュリティが向上する。設定６０１は、ＣＰＵ１８０が表示し、後述するジョブ操作認証登録部７０４で利用する。
【００４８】
設定項目６０２は、ジョブ投入後に自動的にログアウトするか否かに関する設定である。本実施形態では、ジョブ投入後とは、画像処理装置がユーザによるジョブの実行開始指示を受け付けた後のタイミング（例えば、コピージョブの場合、スタートキー２０３が押されたことを認識した後タイミング）のことである。
【００４９】
ジョブ投入後にログアウトしない場合は「しない」、ログアウトする場合は「する」、個人情報が表示される場合のみログアウトする場合は、「個人情報があるときのみ」を設定可能である。設定６０２は、ＣＰＵ１８０が表示し、後述するジョブ投入後のログアウト設定部７０７で利用する。
【００５０】
図７は、図１の画像処理装置におけるログイン管理制御に関わるソフトウェアの構成の一例を示す図である。
【００５１】
符号７０１〜７１０の各々は、画像処理装置のＣＰＵ１８０が実行（処理）するソフトウェアモジュールであり、ＲＯＭ９５に格納されている。
【００５２】
ユーザ認証部７０１は、画像処理装置のＩＣカードリーダ１７５によりＩＣカードからユーザ情報を取得して画像処理装置の利用許可認証を行う。ユーザ認証は、画像処理装置にログインする場合、ジョブの設定変更やキャンセルをする場合、新たにジョブを実行する場合に必要となる処理である。
【００５３】
ジョブの設定変更やキャンセルをする場合は、更に設定変更やキャンセルするジョブのユーザと同じ場合のみ認証する。
【００５４】
利用状態認識部７０２は、ジョブに関するリムーバブルメディア（原稿、プリント出力物、リムーバブルメモリ）の画像処理装置による利用状態を認識する。利用状態認識部７０２は、プリント出力を伴わないジョブ時は、全ての原稿読み取り終了か否かを認識する。
【００５５】
また、利用状態認識部７０２は、プリント出力を伴うジョブ時は、全てのプリント出力が終了したか否かを認識し、終了していなければ、リムーバブルメディア利用ジョブ未完了状態と判断する。また、利用状態認識部７０２は、終了していれば、ジョブに関するリムーバブルメディア利用完状態と判断する。
【００５６】
ジョブ状況認識部７０３は、ユーザ認証部７０１で認証したユーザのジョブが存在するか認識して、存在しない場合はジョブなしを通知する。また、ジョブ状況認識部７０３は、ジョブが存在する場合、投入ジョブに関して、利用状態認識部７０２によりリムーバブルメディア利用未完状態と認識した場合はジョブありを通知する。更に、ジョブ状況認識部７０３は、リムーバブルメディア利用完状態と認識した場合は、ジョブなしを通知する。
【００５７】
ジョブ操作認証登録部７０４は、ＩＤカード認証時の設定画面６００の設定６０１にて、ユーザ認証部７０１で認証したユーザが実行を指示した実行中のジョブの操作に対してユーザ認証部７０１による利用許可認証を必要とさせるか否を登録可能である。登録した値は、後述する設定保存・参照部７０９にて、保存・参照が可能である。
【００５８】
ログイン・ログアウト画面表示部７０５は、ログアウト画面３００、ログイン初期画面４００、ログイン実行中画面５００を表示する。
【００５９】
ログアウト可能判断部７０６は、ユーザ認証部７０１でジョブ投入のために認証したユーザのジョブが、利用状態認識部７０２によりリムーバブルメディア利用ジョブ未完了状態であると認識した場合はログアウト不可であると判断。また、ログアウト可能判断部７０６は、利用状態認識部７０２によりリムーバブルメディア利用ジョブが完了状態であると認識した場合はログアウト可能であると判定する。更に、ログアウト可能判断部７０６は、ログイン実行中画面５００が閉じられた場合、ログアウト可能であると判定する。
【００６０】
ログアウト設定部７０７は、ＩＤカード認証時の設定画面６００の設定６０２にて、ジョブ投入後にログアウトするか否かを設定する。ログアウト設定部７０７は、「ログアウトしない」、「個人情報があり時のみログアウトする」、を設定可能である。
【００６１】
また、上記登録した値は、後述する設定保存・参照部７０９にて、保存・参照を可能である。
【００６２】
ログアウト・非ログアウト判断部７０８は、ユーザ認証部７０１で認証したユーザによるジョブのスタート指示を受け付けた後、ログイン実行中画面５００を表示するかログアウト画面３００を表示するかを判断する。
【００６３】
ログアウト・非ログアウト判断部７０８は、ログアウト設定部７０７によりログアウトしない設定の場合は非ログアウトを通知、ログアウトする場合はログアウトを通知する。また、ログアウト・非ログアウト判断部７０８は、個人情報があり時の場合、宛先、ファイル名がログイン実行中画面５００で表示される場合はログアウトを通知、表示されない場合は非ログアウトを通知する。
【００６４】
設定保存・参照部７０９は、ジョブ操作認証登録部７０４、ログアウト設定部７０７で設定した値をメインメモリ１００に保存する。また、設定した値をメインメモリ１００から読み出すことが可能である。
【００６５】
ジョブ操作制御部７１０は、以下のモジュールを利用して、ジョブ操作を制御する。以下のモジュールとは、ユーザ認証部７０１、ジョブ状況認識部７０３、ジョブ操作認証登録部７０４、ログイン・ログアウト画面表示部７０５、ログアウト可能判断部７０６、ログアウト設定部７０７、ログアウト・非ログアウト判断部７０８である。
【００６６】
図８は、図１、図７の画像処理装置によって実行される画面表示移行処理の手順その１を示すフローチャートである。
【００６７】
より具体的には、図８は、ログアウト画面表示状態からログイン実行中画面表示状態或いはログイン初期画面表示状態へ移行する際のフローチャートである。本フローチャートは図１におけるＣＰＵ１８０が実行する。各処理ステップには符号Ｓを付す。
【００６８】
操作部２００のＬＣＤ表示部２０１に図３に示すログアウト画面が表示されている状態において本フローチャートは処理を開始する。Ｓ８０１にて、ＣＰＵ１８０はＩＣカードリーダ１７５によってＩＣカードが検出されたか否かを判断して、検出されたと判断した場合は、Ｓ８０２の処理へ移行する。検出されていないと判断した場合は、Ｓ８０１の処理を繰り返す。
【００６９】
Ｓ８０２（第１の設定手段）にて、ＩＣカードリーダ１７５から読み出した情報に基づいてユーザ認証部７０１がユーザ認証を行う。ＣＰＵ１８０は、ユーザ認証部７０１により画像処理装置の利用許可認証ができた場合は、Ｓ８０３の処理へ移行する。できなかった場合は、Ｓ８０１の処理へ戻る。
【００７０】
Ｓ８０３にて、ＣＰＵ１８０は、ジョブ状況認識部７０３によりジョブありの通知を受けた場合は、Ｓ８０４の処理へ移行する。ジョブなしの通知を受けた場合は、Ｓ８０５の処理へ移行する。
【００７１】
Ｓ８０４にて、ＣＰＵ１８０はログイン・ログアウト画面表示部７０５を実行し、Ｓ８０３にてジョブありの通知を受けたジョブについてのログイン実行中画面５００を表示して処理を終了する。
【００７２】
Ｓ８０５にて、ＣＰＵ１８０はログイン・ログアウト画面表示部７０５を実行し、ログイン初期画面４００を表示して処理を終了する。
【００７３】
図９は、図１、図７の画像処理装置によって実行される画面表示移行処理の手順その２を示すフローチャートである。
【００７４】
具体的には、ログイン初期画面表示状態からログアウト画面表示状態或いはログイン実行中画面表示状態へ移行する際のフローチャートである。本フローチャートは図１におけるＣＰＵ１８０が実行する。
【００７５】
図８のフローチャートのＳ８０５の処理が終了し、操作部２００にログイン初期画面が表示されているときに本フローチャートは実行を開始する。Ｓ９０１にて、ＣＰＵ１８０は、ログイン初期画面を表示している状態において、ジョブを実行するための各種の設定の入力を受け付け、更にスタートキー２０３の押下を認識したら、ジョブ実行をスタートしてＳ９０２の処理へ移行する。
【００７６】
Ｓ９０２（第２の設定手段）にて、ＣＰＵ１８０はログアウト・非ログアウト判断部７０８を実行し、ログアウト設定部７０７により設定された「ジョブ投入後にログアウトするか否かの設定」の内容をチェックする。「ログアウトする」と設定されていると判断した場合にはＳ９０３へ進み、「ログアウトしない」と設定されていると判断した場合にはＳ９０４へ進む。ログアウト設定部７０７に「個人情報があるときのみログアウトする」が設定されている場合には送信宛先やファイル名等個人情報がログイン実行中画面５００で表示される場合にはＳ９０３へ進み、個人情報がログイン実行中画面５００に表示されていない場合にはＳ９０４へ進む。
【００７７】
Ｓ９０３にて、ＣＰＵ１８０は、ログイン・ログアウト画面表示部７０５を実行してログアウト画面３００を表示して処理を終了する。
【００７８】
Ｓ９０４にて、ＣＰＵ１８０はログイン・ログアウト画面表示部７０５を実行して、上記Ｓ９０１にてスタートしたジョブに関するログイン実行中画面５００を表示して処理を終了する。
【００７９】
図１０は、図１、図７の画像処理装置によって実行される画面表示移行処理の手順その３を示すフローチャートである。
【００８０】
具体的には、ログイン実行中画面表示状態からログアウト画面表示状態或いはログイン初期画面表示状態へ移行する際のフローチャートである。本フローチャートは図１におけるＣＰＵ１８０が実行する。
【００８１】
図９のフローチャートのＳ９０４の処理が終了し、操作部２００にログイン実行中画面が表示されているときに本フローチャートは実行を開始する。Ｓ１００１にて、ＣＰＵ１８０はログアウト可能判断部７０６を実行し、ログアウトが可能であるか否かを判断する。ログアウトが可能であると判断した場合にはＳ１００２へ進み、ログアウトが可能でないと判断した場合にはＳ１００３へ進む。
【００８２】
ログアウト可能判断部７０６における判断の具体的な内容は以下のとおりである。
【００８３】
ユーザ認証部７０１で認証したユーザのジョブが、利用状態認識部７０２によりリムーバブルメディア利用ジョブ未完了状態と認識された場合、した場合は、ログアウトが可能でないと判定する。
【００８４】
利用状態認識部７０２によりリムーバブルメディア利用ジョブが完了状態であると認識した場合は、ログアウト可能であると判定する。
【００８５】
Ｓ１００２にて、ＣＰＵ１８０はログイン・ログアウト画面表示部７０５を実行してログアウト画面３００を表示して処理を終了する。
【００８６】
Ｓ１００３にて、ＣＰＵ１８０は、操作部２００が実行中のジョブに対するユーザによる操作入力を受け付けたか否かを判定して、操作を受け付けたと判定した場合は、Ｓ１００４の処理へ移行する。操作を受け付けないと判定した場合は、Ｓ１００９の処理へ移行する。
【００８７】
Ｓ１００４にて、ＣＰＵ１８０はジョブ状況認識部７０３を実行して実行中のジョブに対する操作であるか否かを判定する。実行中のジョブに対する操作であると判定した場合は、Ｓ１００５の処理へ移行し、そうでない場合は、Ｓ１００１の処理へ戻る。
【００８８】
Ｓ１００５にて、ＣＰＵ１８０は、ジョブ操作認証登録部７０４を実行して、実行中のジョブに対する操作のためにユーザ認証が必要であるか否かを判定する。ユーザ認証が必要であると判定した場合は、Ｓ１００６の処理へ移行し、ユーザ認証が必要ないと判定した場合は、Ｓ１００８の処理へ移行する。
【００８９】
Ｓ１００６にて、ＣＰＵ１８０は、ＩＣカードリーダ１７５によってＩＣカードが検出されたか否かを判断して、検出されたと判断した場合は、Ｓ１００７の処理へ移行し、検出されていないと判断した場合は、Ｓ１００６の処理へ移行する。
【００９０】
Ｓ１００７にて、ＣＰＵ１８０はユーザ認証部７０１を実行し、ＩＣカードリーダ１７５はから読み出した情報に基づいてユーザ認証を行い、ユーザが正しく認証されたか否かを判定する。ユーザが正しく認証された場合はＳ１００８へ進み、そうでない場合はＳ１００１の処理へ戻る。
【００９１】
Ｓ１００８にて、ＣＰＵ１８０は、実行中のジョブに対する操作を実行してＳ１００１の処理へ戻る。
【００９２】
Ｓ１００９にてＣＰＵ１８０は、ＩＣカードリーダ１７５によってＩＣカードが検出されたか否かを判断する。本実施形態の画像処理装置は複数ユーザが同時にログインすることが可能である。これにより、画像処理装置は第１のユーザがジョブの実行を指示し、第１のユーザがまだログアウトしていない状態であっても第２のユーザによるログインを受け入れる。この場合、第２のユーザは、実行中のジョブとは別のジョブの実行を指示することができる。そして、ＣＰＵ１８０は、ＩＣカードが検出されたと判断した場合は、Ｓ１０１０の処理へ移行し、検出されていないと判断した場合は、Ｓ１００１の処理へ戻る。
【００９３】
Ｓ１０１０にて、ＩＣカードリーダ１７５はから読み出した情報に基づいてユーザ認証部７０１がユーザ認証を行う。ＣＰＵ１８０は、ジョブ投入のために、ユーザ認証部７０１により画像処理装置の利用許可認証ができた場合はＳ１０１１の処理へ移行する。できなかった場合はＳ１００１の処理へ戻る。
【００９４】
Ｓ１０１１にて、ＣＰＵ１８０は、ログイン・ログアウト画面表示部７０５を実行してログイン初期画面４００を表示して処理を終了する。この画面では、Ｓ１０１０で新たに認証したユーザがジョブの実行指示のための操作入力を行うことが可能になる。
【００９５】
なお、本発明の目的は、以下の処理を実行することによっても達成される。即ち、上述した実施の形態の機能を実現するソフトウェアのプログラムコード（以下制御プログラム）を記録した記憶媒体を、画像処理装置や情報処理装置、或いはそれら装置の機能拡張ユニットに供給し、それら装置のコンピュータ（またはＣＰＵやＭＰＵ等）が記憶媒体に格納された制御プログラムを読み出す処理である。この場合、記憶媒体から読み出された制御プログラム自体が前述した実施の形態の機能を実現することになり、その制御プログラム及び該制御プログラムを記憶した記憶媒体は本発明を構成することになる。制御プログラムはネットワークを介してダウンロードしてもよい。
【符号の説明】
【００９６】
７０１  ユーザ認証部
７０２  利用状態認識部
７０３  ジョブ状況認識部
７０４  ジョブ操作認証登録部
７０５  ログイン・ログアウト画面表示部
７０６  ログアウト可能判断部
７０７  ログアウト設定部
７０８  ログアウト・非ログアウト判断部
７０９  設定保存・参照部
７１０  ジョブ操作制御部
【図１】
2010252033.tif 000003
【図２】
2010252033.tif 000004
【図３】
2010252033.tif 000005
【図４】
2010252033.tif 000006
【図５】
2010252033.tif 000007
【図６】
2010252033.tif 000008
【図７】
2010252033.tif 000009
【図８】
2010252033.tif 000010
【図９】
2010252033.tif 000011
【図１０】
2010252033.tif 000012